(57)【要約】      （修正有）【課題】  単純、かつ確実な方法でマッサージ強さを変化させることができるエアーマッサージ装置を提供すること。【解決手段】  寝具１上に配置される複数の膨張室４ａ、６ａからなるマッサージ用エアーバッグ４、６とマッサージ用エアーバッグの下面を支持するベース用エアーバッグ５、７とが組み合わされた組合せエアーバッグと、組合せエアーバッグにおけるマッサージ用エアーバッグの各膨張室を個別に給排気するとともに、同組合せエアーバッグにおけるベース用エアーバッグを全体にわたって同時に給排気する給排気装置と、この給排気装置を所定のプログラムにしたがって制御する制御装置とを有する。【選択図】        図２
2005074114.tif 000002
【特許請求の範囲】
【請求項１】
寝具上に配置される複数の膨張室からなるマッサージ用エアーバッグとマッサージ用エアーバッグの下面を支持するベース用エアーバッグとが組み合わされた組合せエアーバッグと、組合せエアーバッグにおけるマッサージ用エアーバッグの各膨張室を個別に給排気するとともに、同組合せエアーバッグにおけるベース用エアーバッグを全体にわたって同時に給排気する給排気装置と、この給排気装置を所定のプログラムにしたがって制御する制御装置とを有することを特徴とするエアーマッサージ装置。
【請求項２】
前記ベース用エアーバッグは、複数の細長の膨張室が並設されたものを２段に積み重ねるとともに、２段の細長の膨張室が直交するように配置されてなることを特徴とする請求項１記載のエアーマッサージ装置。
【請求項３】
前記制御装置は、給排気装置を制御してベース用エアーバッグの膨張率を変化し得るように構成されていることを特徴とする請求項１又は２の何れか１項に記載のエアーマッサージ装置。
【請求項４】
前記組合せエアーバッグは施療部毎に形成され、前記給排気装置は施療部毎に独立して形成されてなることを特徴とする請求項１〜３の何れか１項記載のエアーマッサージ装置。
【請求項５】
前記組合せエアーバッグとして、腰部をマッサージするための腰部組合せエアーバッグ及び脚部をマッサージするための脚部組合せエアーバッグを備えてなることを特徴とする請求項４記載のエアーマッサージ装置。
【請求項６】
前記組合せエアーバッグとして肩部をマッサージするための肩部組合せエアーバッグを有し、この肩部組合せエアーバッグは、使用者の肩幅と略同一の幅寸法を有するベース用エアーバッグと、ベース用エアーバッグの上部における使用者の頭部両側の足元側の一辺に取り付けられたマッサージ用エアーバッグとを備えなることを特徴とする請求項４記載のエアーマッサージ装置。
【請求項７】
マッサージ用エアーバッグ及び／又はベース用エアーバッグは、端部に給排気口が形成され、この給排気口は、給排気方向がエアーバッグ内の隙間の広がり方向と同一なるように形成されてなることを特徴とする請求項１〜６の何れか１項に記載のエアーマッサージ装置。
【発明の詳細な説明】
【技術分野】
【０００１】
この発明は、エアーを給排気することによりエアーバッグを膨張収縮させて、施療部を押圧弛緩してマッサージするエアーマッサージ装置に関する。
【背景技術】
【０００２】
従来、エアーマッサージとしては、エアーの給排気によって独立して膨張収縮する複数のエアーバッグを並列に配置し、給排気装置からエアーバッグに順次エアーを供給して身体の各部をマッサージするものが多く見られる。しかしこのエアーマッサージでは、マッサージをするエアーバッグへのエアーの供給量を調節することでしかマッサージの強度を変更することができないという問題があった。
【０００３】
この問題を解決するものとして、特許文献１に記載のものが開発されている。これは、独立して膨張収縮する複数のエアーバッグからなる第１のエアーバッグと、同様に独立して膨張収縮する複数のエアーバッグからなる第２のエアーバッグとを上下に重ねたものであり、この第１及び第２のエアーバッグをそれぞれ膨張収縮させることにより動作種類を増やし、多彩なマッサージ感をもたらすものであった。
【特許文献１】特許第２９７８２５６号公報
【特許文献２】特開平１０−２０１８０４号公報
【発明の開示】
【発明が解決しようとする課題】
【０００４】
しかしながら、このエアーマッサージでは、上側に配置したエアーバッグと下側に配置したエアーバッグとを、それぞれ独立して膨張収縮可能に制御している。したがって、下側のエアーバッグでは各エアーバッグのエアーの封入量が常に均一になるとは限らない。このため、エアー量の少ないエアーバッグが屈曲したり、エアーバッグと身体との間に隙間が生じたりして、マッサージ力を意図した通りに変化させることができないという問題があった。さらに、給排気制御が複雑になるという問題があった。
【０００５】
本発明は、従来技術におけるこのような問題点に鑑みなされたものであって、単純、かつ確実な方法でマッサージ強さを変化させることができるエアーマッサージ装置を提供することを目的とする。
【課題を解決するための手段】
【０００６】
上記目的を達成するために、本発明は、寝具上に配置される複数の膨張室からなるマッサージ用エアーバッグとマッサージ用エアーバッグの下面を支持するベース用エアーバッグとが組み合わされた組合せエアーバッグと、組合せエアーバッグにおけるマッサージ用エアーバッグの各膨張室を個別に給排気するとともに、同組合せエアーバッグにおけるベース用エアーバッグを全体にわたって同時に給排気する給排気装置と、この給排気装置を所定のプログラムにしたがって制御する制御装置とを有することを特徴とする。
【０００７】
また、前記ベース用エアーバッグは、複数の細長の膨張室が並設されたものを２段に積み重ねるとともに、２段の細長の膨張室が直交するように配置されてなるようにしてもよい。
【０００８】
また、前記制御装置は、給排気装置を制御してベース用エアーバッグの膨張率を変化し得るように構成したものとしてもよい。
【０００９】
また、前記組合せエアーバッグは施療部毎に形成され、前記給排気装置は施療部毎に独立して形成されてなるものとしてもよい。
【００１０】
また、前記組合せエアーバッグとして、腰部をマッサージするための腰部組合せエアーバッグ及び脚部をマッサージするための脚部組合せエアーバッグを備えてなるものとしてもよい。
【００１１】
また、前記組合せエアーバッグとして肩部をマッサージするための肩部組合せエアーバッグを有し、この肩部組合せエアーバッグは、使用者の肩幅と略同一の幅寸法を有するベース用エアーバッグと、ベース用エアーバッグの上部における使用者の頭部両側の足元側の一辺に取り付けられたマッサージ用エアーバッグとを備えなるように構成してもよい。
【００１２】
また、マッサージ用エアーバッグ及び／又はベース用エアーバッグは、端部に給排気口が形成され、この給排気口は、給排気方向がエアーバッグ内の隙間の広がり方向と同一なるように形成されてなるようにしてもよい。
【発明の効果】
【００１３】
本発明に係るエアーマッサージ装置によれば、マッサージ用エアーバッグとマッサージ用エアーバッグを支持するベース用エアーバッグとが組み合わされた組合せエアーバッグを備え、ベース用エアーバッグを全体にわたって同時に給排気するため、マッサージ用エアーバッグの下面の硬さが全体にわたって均一となり、身体との密着度が均一となる。この結果、施療部に対し設定されたマッサージ強さを確実に伝達することができる。
【００１４】
また、本発明において、ベース用エアーバッグを、複数の細長の膨張室が並設されたものを２段に積み重ねるとともに、２段の細長の膨張室を直交するように配置した場合には、ベース用エアーバッグが膨張した際に反り返ったりすることがない。これにより、マッサージ用エアーバッグの下面の硬さが全体にわたってより均一となり、身体との密着度がより均一となる。この結果、施療部に対し設定されたマッサージ強さをより確実に伝達することができる。
【００１５】
また、本発明において、前記制御装置を、ベース用エアーバッグ用の給排気装置を制御してベース用エアーバッグの膨張率を変化し得るように構成すれば、ベース用エアーバッグの膨張率を変化させることにより、マッサージ用エアーバッグ下面の硬さを変化させることができる。この結果、身体との密着度を変化させて、マッサージの強度を変化させることができる。
【００１６】
また、本発明において、組合せエアーバッグを施療部毎に形成し、前記給排気装置を施療部毎に独立して形成した場合は、施療部毎にマッサージの内容や強度を変えることができる。
【００１７】
また、本発明において、前記組合せエアーバッグとして、腰部をマッサージするための腰部用のエアーバッグ及び脚部をマッサージするための脚部用のエアーバッグを備えた場合には、使用者は寝具上に仰臥した状態で、腰部及び脚部をそれぞれに適した強度とプログラムでマッサージすることができる。また、マッサージ終了後は、マッサージ用エアーバッグ及びベース用エアーバッグが嵩張らない柔らかな状態となるので、使用者は違和感なくそのまま睡眠することができる。
【００１８】
前記組合せエアーバッグとして肩部をマッサージするための肩部組合せエアーバッグを有し、この肩部組合せエアーバッグは、使用者の肩幅と略同一の幅寸法を有するベース用エアーバッグと、ベース用エアーバッグの上部における使用者の頭部両側の足元側の一辺に取り付けられたマッサージ用エアーバッグとを備えているので、肩部マッサージ用エアーバッグとベース用エアーバッグとを膨張させると、使用者の肩とマッサージ用エアーバッグとの密着度を高めることができ、マッサージ強さを高めることができる。また、ベース用エアーバッグの膨張率を変化させれば、マッサージ強さをも変化させることができる。
【００１９】
また、本発明において、マッサージ用エアーバッグ及び／又はベース用エアーバッグは、端部に給排気口が形成され、この給排気口は、給排気方向がエアーバッグ内の隙間の広がり方向と同一なるように形成した場合は、エアーバッグ内にエアーを給気する際に発生する騒音が小さくなる。さらに、給排気口がエアーバッグの上面に突出していないので、邪魔になることが少なくなる。
【発明を実施するための最良の形態】
【００２０】
以下各実施例について図面に基づいて説明する。
【実施例１】
【００２１】
先ず、実施例１について図１〜図１２に基づいて説明する。なお、図１は本発明の実施例１に係るエアーマッサージ装置の概略構成図である。図２は同エアーマッサージ装置の側面図であって、マッサージ用エアーバッグ及びベース用エアーバッグを膨張させたときの図である。図３は図２と同様の同エアーマッサージ装置の側面図であって、ベース用エアーバッグが収縮しているときの図である。図４は同エアーマッサージ装置の空気配管系統図である。図５は同エアーマッサージ装置における組合せエアーバッグの斜視図である。図６は同組合せエアーバッグにおけるベース用エアーバッグの斜視図である。図７は、同組合せエアーバッグの動作状態説明図であって、ベース用エアーバッグの膨張率が小さいときの状態を示す。図８は同組合せエアーバッグの動作状態説明図であって、ベース用エアーバッグの膨張率が大きいときの状態を示す。図９は同組合せエアーバッグにおける給排気口部の構造説明図である。図１０は従来の給排気口の一例を示したエアーバッグの斜視図である。図１１は同従来例における給排気口の構造説明図である。図１２は従来のエアーバッグにおける他の例を示した給排気口の構造説明図である。
【００２２】
実施例１に係るエアーマッサージ装置は、図１〜３に示すように、マットレス、布団、ベッドなど寝具１上に、組合せエアーバッグ２、３を施療部毎に配置し、これを寝具１の足元側に配置された制御装置１０により制御するようにしたものである。なお、図１において、２０は、このマッサージ装置を操作するための操作スイッチである。また、図２及び図３において、８は寝具上に仰臥する使用者であり、９は枕である。
また、この実施例１では、腰部をマッサージするための腰部組合せエアーバッグ２と脚部をマッサージするための脚部組合せエアーバッグ３とが寝具１上に載置されている。
腰部組合せエアーバッグ２は、図１〜図３、図５及び図６に示すように、マッサージ用エアーバッグ４とベース用エアーバッグ５とが組み合わされたものであり、脚部組合せエアーバッグ３は、マッサージ用エアーバッグ６とベース用エアーバッグ７とが組み合わされたものである。
【００２３】
マッサージ用エアーバッグ４、６は、収縮時に長方形をなす複数の独立の膨張室４ａを備えており、各膨張室４ａは連結され、図１〜図３に示すように、膨張室４ａの長手方向が身体の横方向、つまり寝具１の横方向となるように配置されている。
ベース用エアーバッグ５、７は、上下２枚の伸縮性が少なく加圧されても破れにくい、例えばポリウレタンシートの周囲及び中間部を融着することにより、複数の細長の膨張室５ａを形成したものである。ただし、各膨張室５ａは連通するように一部融着を施す部分を欠落させている。つまり、ベース用エアーバッグ５、７の各膨張室５ａは互いに連結された状態で形成されることになる。また、ベース用エアーバッグ５、７は、図１〜図３に示すように、膨張室５ａの長手方向が身体の身長方向、つまり寝具１の長手方向となるように配置されている。
また、組合せエアーバッグ２、３は、施療部に適した大きさに形成されている。また、組合せエアーバッグ２、３は、制御装置１０に接続され、制御装置１０により施療部毎に独立して膨張収縮するように制御されている。
【００２４】
制御装置１０は、空気配管回路と制御部（図示せず）とを備えている。
空気配管回路は、エアーポンプ１１に対し、腰部組合せエアーバッグ用の空気回路１２と、脚部組合せエアーバッグ用の空気回路１３とが接続されている。腰部組合せエアーバッグ用の空気回路１２は、エアーポンプ１１の吐出側にマッサージ用エアーバッグ４とベース用エアーバッグ５とを接続する。また、マッサージ用エアーバッグ４の膨張室４ａの給排気口１４には、給気位置Ａと排気位置Ｂとを備えた切換弁１５が接続されている。また、ベース用エアーバッグ５の給排気口１４には、前述の給気位置Ａと排気位置Ｂとを備えた切換弁１５が接続され、さらに、この切換弁１５の給排気口１４側に給排気口１４に連通する空気配管を開閉するストップバルブ１６が接続されている。これら５個の切換弁１５及び１個のストップバルブ１６は、本発明における給排気装置を形成する。
脚部組合せエアーバッグ用の空気回路１３は、詳細を図示していないが、腰部組合せエアーバッグ用の空気回路１２と同様の構成である。
【００２５】
図９はエアーバッグ４、５、６、７の給排気口１４の構造を示したものである。この図に示すように、給排気口１４は、各エアーバッグ４、５、６、７の端部のポリウレタンシート接合部１４ａに直管状の接手１４ｂを取り付けたものである。この給排気口１４では、給排気の方向がエアーバッグ４、５、６、７内の隙間の広がり方向となるように形成されている。なお、１９は、空気回路１２、１３における空気配管を示す。上記のように構成された本実施例１の給排気口１４によれば、接手とエアーバッグ内の隙間との経路が屈曲なく接続され、給排気時の空気抵抗が小さくなるため、給排気時の騒音が小さくなる。
【００２６】
因みに、従来のこの種エアーマッサージ装置における給排気口は、例えば図１０及び図１１に示すように、エアーバッグ１０１に空気配管１０２を接続するためにＬ字型接手１０３が取り付けられていたが、このＬ字型接手１０３からの給排気の方向がエアーバッグ１０１内の隙間の広がり方向と直角になるように形成されていた。このため、給排気時に騒音が発生していた。図１２に従来の他の例を示す。この場合、給排気口は、直管状の接手１１３が接続されているが、上記図１０及び図１１に示すものと同様に、給排気の方向がエアーバッグ１１１内の隙間の広がり方向と直角になるように形成されていた。このため、給排気時に騒音が発生していた。なお、この図において、１１２は空気回路における空気配管を示す。
【００２７】
前記制御部は、組合せエアーバッグ２、３を構成するマッサージ用エアーバッグ４、６及びベース用エアーバッグ５、７を所定のプログラムにより膨張収縮させるように制御している。例えば、ベース用エアーバッグ５、７を、所定硬さのマッサージ用エアーバッグの基準面を得るように均一に膨張させ、また、マッサージ用エアーバッグ４、６については、ローリング効果を発揮するように、マッサージ用エアーバッグ４、６を構成する膨張室４ａ、６ａを端から順次膨張収縮させている。
また、前記制御部は、施療部用の組合せエアーバッグ２、３毎にプログラムを変えることができるように構成されている。例えば、この実施例１では、マッサージ用エアーバッグ４、６の膨張室４ａ、６ａを順次膨張収縮させるときの移動速度やベース用エアーバッグ５、７の強さを施療部により変更できるように構成されている。なお、制御装置１０には、操作スイッチ２０が接続されている
【００２８】
上記組合せエアーバッグ２、３では、図７に示すように、ベース用エアーバッグ５、７の膨張率が小さいとき、つまり、ベース用エアーバッグ５、７の空気封入量が少ない場合には、ベース用エアーバッグ５、７が変形し、荷重がベース用エアーバッグ５、７側に逃げるため、マッサージ力が弱くなる。逆に、図８に示すように、ベース用エアーバッグ５、７の膨張率が大きいとき、つまりベース用エアーバッグ５、７の封入量が多いときは、ベース用エアーバッグ５、７の表面が硬くなり、荷重がベース用エアーバッグ５、７側に逃げ難くなるため、マッサージ力が強くなる。
【００２９】
上記のように構成された実施例１によれば、マッサージ用エアーバッグ４、６とマッサージ用エアーバッグ４、６を支持するベース用エアーバッグ５、７とが組み合わされた組合せエアーバッグ２、３を備え、ベース用エアーバッグ５、７全体を同時に給排気するため、マッサージ用エアーバッグ４、６の下面の硬さが全体にわたって均一とすることができる。このため、使用者８の身体とマッサージ用エアーバッグ４、６との密着度が均一となる。この結果、施療部に対しては、設定されたマッサージ力を確実に伝達することができる。
【００３０】
また、このベース用エアーバッグ５、７の膨張率を変化させることにより、マッサージ用エアーバッグ４、６下面の硬さを変化させることができ、身体との密着度を変化させてマッサージ強さを変化させることができる。
【００３１】
また、実施例１では、組合せエアーバッグ２、３を施療部毎に形成しているので、施療部毎にそれぞれに適した強度に変化させることができる。
【００３２】
より具体的には、実施例１では、それぞれ独立して給排気制御可能に構成された腰部組合せエアーバッグ２及び脚部組合せエアーバッグ３を備えているので、使用者８は寝具１上に仰臥した状態で、腰部及び脚部をそれぞれに適した強度とプログラムでマッサージすることができる。また、マッサージ終了後は、マッサージ用エアーバッグ４、６及びベース用エアーバッグ５、７が嵩張らない柔らかな状態となるので、使用者８は違和感なくそのまま睡眠することができる。
【００３３】
また、マッサージ用エアーバッグ４、６及びベース用エアーバッグ５、７は、端部に給排気口１４が形成され、この給排気口１４は、給排気方向がエアーバッグ４、６、７、８内の隙間の広がり方向と同一となるように形成されているので、エアーバッグ４、６、７、８内にエアーを給気する際の騒音が小さくなる。さらに、給排気口１４がエアーバッグ４、６、７、８の上面に突出していないので、邪魔になることが少ない。
【実施例２】
【００３４】
次に、実施例２について図１３及び図１４に基づき説明する。図１３は実施例２に係るエアーマッサージ装置におけるベース用エアーバッグの斜視図である。図１４は実施例２のベース用エアーバッグの作用効果を説明するための参考図面である。
実施例２は、実施例１において、ベース用エアーバッグを変更したものである。なお、以下の説明では変更するベース用エアーバッグについてのみ説明するが、ベース用エアーバッグ以外は実施例１と同様とする。
【００３５】
実施例２におけるベース用エアーバッグ２１は、図１３に示すように、上下２段に形成されており、それぞれの段において複数の連通した膨張室２２が形成されている。また、各段では、エアーバッグの強度上、膨張室２２が複数に区分けされて各膨張室２２間が融着されている。このように融着されることにより、各膨張室２２は、平面形状が細長であって、膨張させた場合に複数の山形となる。なお、融着部の１部を欠落させることにより膨張室が連通するように構成されている。
【００３６】
これに対し、実施例１と同様に、ベース用エアーバッグ２１の下段のみのもの２１ａにした場合は、次のような問題の生じることが分かった。図１４（ａ）に示すように下段のみのベース用エアーバッグ２１ａを構成する膨張室２２ａのエアー量が少ないときは平面が保持されているが、膨張室２２ａのエアー量が多くなったときには、各膨張室２２ａ間の融着部分の剛性が弱いため、図１４（ｂ）に示すように、融着部分で折り曲がる現象が現れ、平面が保持されずに反り返ることが多くなった。また、折り曲がりが激しくなると、取り扱いが不便であった。
【００３７】
この点実施例２では、上下２段に形成されたベース用エアーバッグ２１における膨張室２２の長手方向の剛性により、このような反り返りがなくなる。したがって、取り扱いが容易になりマッサージ用エアーバッグ４、６の下面の硬さが全体にわたってより均一となる。この結果、身体との密着度がより均一となり、施療部に設定されたマッサージ強さをより確実に伝達することができる。
【実施例３】
【００３８】
次に、実施例３について図１５〜図１９に基づき説明する。図１５は実施例３のエアーマッサージ装置における肩部組合せエアーバッグの収縮時の斜視図である。図１６は同肩部組合せエアーバッグの収縮時の側面図である。図１７は同肩部組合せエアーバッグの膨張時の斜視図である。図１８は同肩部組合せエアーバッグの膨張時の側面図である。図１９は同肩部組合せエアーバッグの作動状態を示したタイムスケジュールである。
実施例３は、実施例１において、枕部分に枕９に代えて肩部組合せエアーバッグ３０を設置するものであって、その他の構成は実施例１と同様である。以下の説明ではこの肩部組合せエアーバッグについてのみ説明するが、他の構成は実施例１と同様である。
【００３９】
実施例３に係る肩部組合せエアーバッグ３０は、実施例１における枕元に使用者８の肩幅より少し広めの幅寸法を持つ細長袋状のエアーバッグをベース用エアーバッグ３１として載置するものであって、その上面部の中央部分を頭部載置部３２とし、この頭部載置部３２の両側に片方の肩幅程度の幅寸法を有するマッサージ用エアーバッグ３３を取り付けている。なお、このマッサージ用エアーバッグ３３は、図１５からよく分かるように、ベース用エアーバッグ３１の足元側の一辺３４に融着されている。
【００４０】
このように構成された肩部組合せエアーバッグ３０に空気を供給してマッサージ用エアーバッグ３３及びベース用エアーバッグ３１を膨張させると図１８に示すように、マッサージ用エアーバッグ３３の頭上側が起き上がるようになる。
この結果、使用者８の肩とマッサージ用エアーバッグ３３との密着度を高めることができ、マッサージ強さを高めることができる。また、ベース用エアーバッグ３１の膨張率を変化させれば、マッサージ強さを変化させることもできる。
なお、左右のマッサージ用エアーバッグ３３は、図１９に示すように、交互に膨張収縮させるように構成することもできる。この場合には、マッサージに変化をもたらすことができる。
（参考例）
【００４１】
図２０及び図２１は、上記実施例３と同様に肩をマッサージするエアーマッサージ装置の参考例を示す。この参考例は、樹脂等の詰め物を入れた枕４１の肩側表面に左右のマッサージ用エアーバッグ４２を取り付けたものである。
この場合も、マッサージ用エアーバッグ４２を膨張させると、使用者８の肩とマッサージ用エアーバッグ４２との密着度を高めることができ、マッサージ強さを高めることができる。また、通常の枕を使用しているので、頭を枕の上に載せて安楽に休むことができる。しかしながら、この場合には、ベース用エアーバッグを使用していないので、実施例３のようにベース用エアーバッグの膨張率を変化させてマッサージ強さを変化させるようなことはできない。
【産業上の利用可能性】
【００４２】
本発明のエアーマッサージ装置は、一般家庭、宿泊施設、老人施設、病院等におけるマッサージ装置として用いることができる。
【図面の簡単な説明】
【００４３】
【図１】本発明の実施例１に係るエアーマッサージ装置の概略構成図である。
【図２】同エアーマッサージ装置の側面図であって、マッサージ用エアーバッグ及びベース用エアーバッグを膨張させたときの図である。
【図３】同エアーマッサージ装置の側面図であって、ベース用エアーバッグが収縮しているときの図である。
【図４】同エアーマッサージ装置の空気配管系統図である。
【図５】同エアーマッサージ装置における組合せエアーバッグの斜視図である。
【図６】同組合せエアーバッグにおけるベース用エアーバッグの斜視図である。
【図７】図７は、同組合せエアーバッグの動作状態説明図であって、ベース用エアーバッグの膨張率が小さいときの状態を示す。
【図８】同組合せエアーバッグの動作状態説明図であって、ベース用エアーバッグの膨張率が大きいときの状態を示す。
【図９】同組合せエアーバッグにおける給排気口の構造説明図である。
【図１０】従来の給排気口の一例を示したエアーバッグの斜視図である。
【図１１】同従来例における給排気口の構造説明図である。
【図１２】従来のエアーバッグにおける他の例を示した給排気口の構造説明図である。
【図１３】実施例２に係るエアーマッサージ装置におけるベース用エアーバッグの斜視図である。
【図１４】実施例２のベース用エアーバッグの作用効果を説明するための参考図面であり、（ａ）は、膨張室の膨張率が小さいときの状態図であり、（ｂ）は膨張室の膨張率が大きいときの状態図である。
【図１５】実施例３のエアーマッサージ装置における肩部組合せエアーバッグの収縮時の斜視図である。
【図１６】同肩部組合せエアーバッグの収縮時の側面図である。
【図１７】同肩部組合せエアーバッグの膨張時の斜視図である。
【図１８】同肩部組合せエアーバッグの膨張時の側面図である。
【図１９】同肩部組合せエアーバッグの作動状態を示したタイムスケジュールである。
【図２０】参考例に係るエアーマッサージ装置の斜視図であって、肩部用のマッサージ用エアーバッグが収縮している状態を示す。
【図２１】同参考例に係るエアーマッサージ装置の斜視図であって、肩部用のマッサージ用エアーバッグが膨張している状態を示す。
【符号の説明】
【００４４】
１  寝具
２  肩部組合せエアーバッグ
３  脚部組合せエアーバッグ
４  マッサージ用エアーバッグ
４ａ  膨張室
５  ベース用エアーバッグ
５ａ  膨張室
６  マッサージ用エアーバッグ
７  ベース用エアーバッグ
８  使用者
１０  制御装置
１２  空気回路
１３  空気回路
１４  給排気口
１４ａ  ポリウレタンシート接合部
１４ｂ  接手
１５  切換弁
１６  ストップバルブ
２１  ベース用エアーバッグ
２１ａ  ベース用エアーバッグ
２２  膨張室
２２ａ  膨張室
３０  肩部組合せエアーバッグ
３１  ベース用エアーバッグ
３２  頭部載置部
３３  マッサージ用エアーバッグ
３４  一辺
【図１】
2005074114.tif 000003
【図２】
2005074114.tif 000004
【図３】
2005074114.tif 000005
【図４】
2005074114.tif 000006
【図５】
2005074114.tif 000007
【図６】
2005074114.tif 000008
【図７】
2005074114.tif 000009
【図８】
2005074114.tif 000010
【図９】
2005074114.tif 000011
【図１０】
2005074114.tif 000012
【図１１】
2005074114.tif 000013
【図１２】
2005074114.tif 000014
【図１３】
2005074114.tif 000015
【図１４】
2005074114.tif 000016
【図１５】
2005074114.tif 000017
【図１６】
2005074114.tif 000018
【図１７】
2005074114.tif 000019
【図１８】
2005074114.tif 000020
【図１９】
2005074114.tif 000021
【図２０】
2005074114.tif 000022
【図２１】
2005074114.tif 000023